(57)【要約】【課題】受信性能を向上させることができる無線受信機を提供する。【解決手段】無線受信機は、無線信号を検波してデジタル信号を出力する検波部と、受信側誤差補正器、キャリア位相補正器、送信側誤差補正器、等化器、キャリア位相フィードバック器、ＤＣオフセット補正回路およびリファレンス信号発生器を有し、検波部が出力するデジタル信号を受信側誤差補正器、キャリア位相補正器、送信側誤差補正器、等化器、ＤＣオフセット補正回路の順で経由させてデジタル復調するデジタル復調部とを備える。【選択図】図１
2017152799.tif 000002
【特許請求の範囲】
【請求項１】
無線信号を検波してデジタル信号を出力する検波部と、
受信側誤差補正器、キャリア位相補正器、送信側誤差補正器、等化器、キャリア位相フィードバック器、ＤＣオフセット補正回路およびリファレンス信号発生器を有し、前記検波部が出力するデジタル信号を前記受信側誤差補正器、前記キャリア位相補正器、前記送信側誤差補正器、前記等化器、前記ＤＣオフセット補正回路の順で経由させてデジタル復調するデジタル復調部と
を備える無線受信機であって、
前記受信側誤差補正器は、前記検波部から入力されるデジタル信号と前記リファレンス信号発生器で発生したリファレンス信号とを比較し、前記検波部から入力されるデジタル信号について前記検波部で生じた受信側誤差を適応的に補正し、
前記キャリア位相補正器は、前記キャリア位相フィードバック器からの位相補正信号に基づき、前記受信側誤差補正器から入力されるデジタル信号について搬送波の位相誤差を補正し、
前記送信側誤差補正器は、前記キャリア位相補正器から入力されるデジタル信号と前記リファレンス信号発生器で発生したリファレンス信号とを比較し、前記キャリア位相補正器から入力されるデジタル信号について前記検波部が検波する前記無線信号に含まれる送信側誤差を適応的に補正し、
前記等化器は、前記送信側誤差補正器から入力されるデジタル信号の信号歪を補正してデジタル信号を出力し、
前記ＤＣオフセット補正回路は、入力されるデジタル信号について直流成分と前記リファレンス信号発生器で発生したリファレンス信号の直流成分との差分であるＤＣ差分を検出し、前記ＤＣ差分を適応的に補正し、
前記キャリア位相フィードバック器は、前記等化器および前記ＤＣオフセット補正回路の少なくとも一方を経由したデジタル信号の位相誤差を検出し、前記位相誤差を補正する前記位相補正信号を生成して前記キャリア位相補正器へフィードバックする
ことを特徴とする無線受信機。
【請求項２】
前記ＤＣオフセット補正回路を経由したデジタル信号を入力して、
振幅アンバランスを低減する振幅補正回路、および
直交度誤差を低減する直交度誤差補正回路の少なくとも一方を
さらに備える請求項１に記載の無線受信機。
【請求項３】
前記ＤＣオフセット補正回路を経由したデジタル信号を入力して、デジタル信号の信号歪を補正する第２等化器を
さらに備える請求項１または２に記載の無線受信機。
【発明の詳細な説明】
【技術分野】
【０００１】
本発明は、無線受信機に関する。
【背景技術】
【０００２】
特許文献１は、直交検波部とデジタル復調部とを備えた無線受信機を開示する（特許文献１の図１参照）。直交検波部は、直交変調方式の無線信号を直交検波して２系統のデジタル信号を出力する。デジタル復調部は、受信側誤差補正器、キャリア位相補正器、送信側誤差補正器、等化器、キャリア位相フィードバック器およびリファレンス信号発生器を有する。そして、デジタル復調部は、直交検波部が出力した２系統のデジタル信号を、受信側誤差補正器、キャリア位相補正器、送信側誤差補正器、および等化器の順で経由させてデジタル復調する。
【０００３】
また、受信側誤差補正器および送信側誤差補正器は、受信側誤差および送信側誤差をそれぞれ補正する。補正される受信側誤差および送信側誤差は、ＤＣ（直流）オフセット、振幅アンバランスおよび直交度誤差を含む。受信側誤差補正器および送信側誤差補正器は、ＤＣオフセットを低減するＤＣオフセット補正回路（ＡＤＣ；Automatic DC offset Controller）と、振幅アンバランスを低減する振幅補正回路（ＡＬＣ；Automatic Level Controller）と、直交度誤差を低減する直交度誤差補正回路（ＡＱＣ；Automatic Quadrature Controller）とを備える。
【０００４】
図９は、特許文献１の図２に示されているデジタル復調部２０Ａの一部の構成を示したブロック図である。ただし、図９では、入出力される２系統のデジタル信号を１本の矢印で示している。図９は、特許文献１の図２に示されたデジタル復調部２０Ａの構成のうち、キャリア位相補正器２２と、送信側誤差補正器２３と、等化器２４と、キャリア位相フィードバック器２５とを示す。ただし、図９では、キャリア位相補正器２２を、複素乗算器で構成している。
【０００５】
図９において、送信側誤差補正器２３は、ＤＣオフセット補正回路（ＡＤＣ２）２３１と、振幅補正回路（ＡＬＣ２）２３２と、直交度誤差補正回路（ＡＱＣ２）２３３とを有する。そして、キャリア位相フィードバック器２５は、位相誤差検出回路（ＰＤ；Phase Detector）２５１と、位相誤差平均化回路（ＬＰＦ）２５２と、位相制御回路（ＮＣＯ；Numerically Controlled Oscillator）２５３とを有する。ただし、図９では、位相誤差平均化回路（ＬＰＦ）２５２を、ローパスフィルタ（ＬＰＦ；Low Pass filter）で構成している。
【０００６】
図９に示したキャリア位相補正器２２は、キャリア位相フィードバック器２５からの位相補正信号に基づき、図示していない受信側誤差補正器から入力された２系統のデジタル信号について系統毎に搬送波の位相誤差を補正する。送信側誤差補正器２３は、キャリア位相補正器２２が出力した搬送波に位相誤差のない２系統のデジタル信号を入力し、送信側で発生したアナログ誤差である送信側誤差を補正する。すなわち、ＤＣオフセット補正回路（ＡＤＣ２）２３１がＤＣオフセットを低減する。振幅補正回路（ＡＬＣ２）２３２が振幅アンバランスを低減する。そして、直交度誤差補正回路（ＡＱＣ２）２３３が直交度誤差を低減する。等化器２４は、送信側誤差補正器２３から入力された２系統のデジタル信号の信号歪を補正して補正後のデジタル信号を出力する。一方、キャリア位相フィードバック器２５は、等化器２４が出力した２系統のデジタル信号の位相誤差を系統毎に検出し、位相誤差を補正する位相補正信号を生成してキャリア位相補正器２２へフィードバックする。
【先行技術文献】
【特許文献】
【０００７】
【特許文献１】特許第４８４２１８６号公報
【発明の概要】
【発明が解決しようとする課題】
【０００８】
図９に示したデジタル復調部２０Ａでは、次のような場合に、受信性能が悪化することがあるという課題がある。すなわち、フェージングによるノッチが変調波中心周波数付近に存在し、かつ、送信ＤＣオフセットがあるという場合である。この場合、送信側誤差補正器２３の入力信号（すなわちキャリア位相補正器２２の出力信号）の周波数スペクトルは、変調波中心周波数付近にノッチが入り、かつ、送信ＤＣオフセットを含んでいる。これに対し、送信側誤差補正器２３の出力信号の周波数スペクトルは、ＤＣオフセット補正回路（ＡＤＣ２）２３１による送信ＤＣオフセット補正によって低減された送信ＤＣオフセットを含む。しかし、等化器２４による等化処理ではノッチが入ったＤＣ付近のレベルが持ち上がる。そのため、等化器２４の出力信号の周波数スペクトルに含まれる送信ＤＣオフセットは増加する。この残留送信ＤＣオフセットのため受信性能が悪化する。
【０００９】
本発明は、上記の事情を考慮してなされたものであり、受信性能を向上させることができる無線受信機を提供することを目的とする。
【課題を解決するための手段】
【００１０】
上記課題を解決するため、本発明の一態様は、無線信号を検波してデジタル信号を出力する検波部と、受信側誤差補正器、キャリア位相補正器、送信側誤差補正器、等化器、キャリア位相フィードバック器、ＤＣオフセット補正回路およびリファレンス信号発生器を有し、前記検波部が出力するデジタル信号を前記受信側誤差補正器、前記キャリア位相補正器、前記送信側誤差補正器、前記等化器、前記ＤＣオフセット補正回路の順で経由させてデジタル復調するデジタル復調部とを備える無線受信機であって、前記受信側誤差補正器は、前記検波部から入力されるデジタル信号と前記リファレンス信号発生器で発生したリファレンス信号とを比較し、前記検波部から入力されるデジタル信号について前記検波部で生じた受信側誤差を適応的に補正し、前記キャリア位相補正器は、前記キャリア位相フィードバック器からの位相補正信号に基づき、前記受信側誤差補正器から入力されるデジタル信号について搬送波の位相誤差を補正し、前記送信側誤差補正器は、前記キャリア位相補正器から入力されるデジタル信号と前記リファレンス信号発生器で発生したリファレンス信号とを比較し、前記キャリア位相補正器から入力されるデジタル信号について前記検波部が検波する前記無線信号に含まれる送信側誤差を適応的に補正し、前記等化器は、前記送信側誤差補正器から入力されるデジタル信号の信号歪を補正してデジタル信号を出力し、前記ＤＣオフセット補正回路は、入力されるデジタル信号について直流成分と前記リファレンス信号発生器で発生したリファレンス信号の直流成分との差分であるＤＣ差分を検出し、前記ＤＣ差分を適応的に補正し、前記キャリア位相フィードバック器は、前記等化器および前記ＤＣオフセット補正回路の少なくとも一方を経由したデジタル信号の位相誤差を検出し、前記位相誤差を補正する前記位相補正信号を生成して前記キャリア位相補正器へフィードバックすることを特徴とする無線受信機である。
【００１１】
また、本発明の一態様は、上記無線受信機であって、前記ＤＣオフセット補正回路を経由したデジタル信号を入力して、振幅アンバランスを低減する振幅補正回路、および直交度誤差を低減する直交度誤差補正回路の少なくとも一方をさらに備える。
【００１２】
また、本発明の一態様は、上記無線受信機であって、前記ＤＣオフセット補正回路を経由したデジタル信号を入力して、デジタル信号の信号歪を補正する第２等化器をさらに備える。
【発明の効果】
【００１３】
本発明によれば受信性能を向上させることができる。
【図面の簡単な説明】
【００１４】
【図１】本発明の第１の実施形態を説明するためのブロック図である。
【図２】図１に示したデジタル復調部２０の構成を示したブロック図である。
【図３】図１および図２に示したＤＣオフセット補正回路（ＡＤＣ３）４０１の構成例を示したブロック図である。
【図４】本発明の第２の実施形態を説明するためのブロック図である。
【図５】本発明の第３の実施形態を説明するためのブロック図である。
【図６】本発明の第４の実施形態を説明するためのブロック図である。
【図７】本発明の第５の実施形態を説明するためのブロック図である。
【図８】本発明の第６の実施形態を説明するためのブロック図である。
【図９】本発明の背景技術を説明するためのブロック図である。
【発明を実施するための形態】
【００１５】
以下、図１から図３を参照して本発明の第１の実施形態について説明する。図１は、本実施形態に係る無線受信機５００の構成を示したブロック図である。図１に示した無線受信機５００は、ＱＰＳＫ（Quadrature Phase Shift Keying）方式、多値ＱＡＭ（Quadrature Amplitude Modulation）方式等の直交変調方式を利用した無線通信システムで用いられる無線受信機である。図１に示した無線受信機５００は、直交検波部１０およびデジタル復調部２０を備える。デジタル復調部２０は受信側誤差補正器２１、キャリア位相補正器２２、送信側誤差補正器２３、等化器２４、キャリア位相フィードバック器２５、リファレンス信号発生器２６およびＤＣオフセット補正回路（ＡＤＣ３）４０１を有する。
【００１６】
無線受信機５００は、図示しない直交変調方式の無線送信機からの無線信号を受信し、中間周波数に変換してＩＦ信号とする。直交検波部１０は、ＩＦ信号を準同期検波で直交検波してＩ−ｃｈ及びＱ−ｃｈの２系統のデジタル信号を出力する。直交検波部１０が出力した２系統のデジタル信号はデジタル復調部２０へ入力される。
【００１７】
無線受信機５００は、デジタル復調部２０で２系統のデジタル信号をデジタル復調するため、２系統のデジタル信号を受信側誤差補正器２１、キャリア位相補正器２２、送信側誤差補正器２３、等化器２４、および、ＤＣオフセット補正回路（ＡＤＣ３）４０１の順で経由させる。
【００１８】
リファレンス信号発生器２６は、無線信号の変調方式に基づき直交検波部１０が出力する２系統のデジタル信号の理想信号を算出し、理想信号をリファレンス信号として出力する。理想信号は、無線信号の変調方式からシミュレーション結果を元に算出した理想的なデジタル信号である。リファレンス信号発生器２６が出力したリファレンス信号は、受信側誤差補正器２１、送信側誤差補正器２３、およびＤＣオフセット補正回路（ＡＤＣ３）４０１に入力される。
【００１９】
無線受信機５００は、直交検波部１０からの２系統のデジタル信号を受信側誤差補正器２１に入力し、受信側で発生したアナログ誤差である受信側誤差を補正する。具体的には、受信側誤差補正器２１は、直交検波部１０から入力される２系統のデジタル信号とリファレンス信号発生器２６で発生したリファレンス信号とを比較し、直交検波部１０から入力される２系統のデジタル信号について直交検波部１０で生じた受信側誤差を適応的に補正する。
【００２０】
続いて、無線受信機５００は、キャリア位相補正器２２で２系統のデジタル信号について搬送波の位相補正を行う。無線受信機５００は、等化器２４から出力される２系統のデジタル信号をフィードバックして搬送波の位相補正を行う。具体的には、キャリア位相フィードバック器２５は、等化器２４が出力する２系統のデジタル信号の位相誤差を検出し、位相誤差を補正する位相補正信号を生成してキャリア位相補正器２２へフィードバックする。キャリア位相補正器２２は、キャリア位相フィードバック器２５からの位相補正信号に基づき、受信側誤差補正器２１から入力される２系統のデジタル信号について搬送波の位相誤差を補正する。
【００２１】
続いて、無線受信機５００は、送信側誤差補正器２３で２系統のデジタル信号について送信側で発生したアナログ誤差である送信側誤差を補正する。キャリア位相補正器２２によって搬送波に位相誤差のない２系統のデジタル信号となっているため、送信側誤差補正器２３は２系統のデジタル信号について送信側誤差を補正できる。具体的には、送信側誤差補正器２３は、キャリア位相補正器２２から入力される２系統のデジタル信号とリファレンス信号発生器２６で発生したリファレンス信号とを比較し、キャリア位相補正器２２から入力される２系統のデジタル信号について直交検波部１０が直交検波する無線信号に含まれる送信側誤差を適応的に補正する。
【００２２】
等化器２４は、送信側誤差補正器２３から入力される２系統のデジタル信号の信号歪を補正して２系統のデジタル信号を出力する。無線受信機５００では、２系統のデジタル信号について等化器２４の入力前に受信側及び送信側のアナログ誤差を補正している。そのため、等化器２４の特性劣化を防止することができる。
【００２３】
ＤＣオフセット補正回路（ＡＤＣ３）４０１は、入力される２系統のデジタル信号についてそれぞれの直流成分とリファレンス信号発生器２６で発生したリファレンス信号の直流成分との差分であるＤＣ差分を検出し、ＤＣ差分を適応的に補正し、ＤＣオフセットを低減する。ＤＣオフセット補正回路（ＡＤＣ３）４０１の出力は、例えば、デジタル復調部２０内の図示していない硬判定器へ入力される。
【００２４】
ここで、図３を参照して、ＤＣオフセット補正回路（ＡＤＣ３）４０１の構成例について説明する。図３は、ＤＣオフセット補正回路（ＡＤＣ３）４０１における１系統分の構成例を示したブロック図である。ＤＣオフセット補正回路（ＡＤＣ３）４０１は、入力端３１５、加算器３１４、出力端３１６、誤差検出部３１１、乗算器３１２および補正値更新部３１３を有する。入力端３１５から入力されるデジタル信号は加算器３１４でＤＣ補正信号を加算されて出力端３１６から出力される。
【００２５】
誤差検出部３１１は、出力端３１６におけるデジタル信号について直流成分と図１に示したリファレンス信号発生器２６で発生したリファレンス信号ｒｅｆの直流成分との差分であるＤＣ差分を検出する。ただし、リファレンス信号ｒｅｆの直流成分が０のときはリファレンス信号ｒｅｆの入力を省略してもよい。誤差検出部３１１は、検出したＤＣ差分を正負の誤差符号として出力する。
【００２６】
乗算器３１２は、誤差検出部３１１から出力される誤差符号に対して、補正量の基準となるステップサイズμおよび誤差量を反転して補正量に変換する“−１”を乗算し、適応的に単位補正量を出力する。
【００２７】
補正値更新部３１３は、乗算器３１２からの単位補正量と過去のＤＣ補正信号とを積分してＤＣ補正信号の更新を行う。補正値更新部３１３は、更新されたＤＣ補正信号を加算器３１４へ出力する。
【００２８】
次に、図２を参照して、図１に示したキャリア位相補正器２２、送信側誤差補正器２３、およびキャリア位相フィードバック器２５の構成例について説明する。図２は、図１に示したデジタル復調部２０の一部の構成を示したブロック図である。ただし、図２では、入出力される２系統のデジタル信号を１本の矢印で示している。また、図２では、図１に示したリファレンス信号発生器２６が出力したリファレンス信号の入力に係る構成の図示を省略している（図４から図９においても同様）。
【００２９】
図２において、キャリア位相補正器２２は、複素乗算器で構成されている。キャリア位相補正器２２は、受信側誤差補正器２１が出力した複素数を表すデジタル信号と、キャリア位相フィードバック器２５が出力した複素数を表すデジタル信号である位相補正信号とを入力し、入力した２つのデジタル信号を互いに掛け合わせ、乗算の結果を出力する。
【００３０】
また、送信側誤差補正器２３は、ＤＣオフセット補正回路（ＡＤＣ２）２３１と、振幅補正回路（ＡＬＣ２）２３２と、直交度誤差補正回路（ＡＱＣ２）２３３とから構成されている。送信側誤差補正器２３は、キャリア位相補正器２２の出力をＤＣオフセット補正回路（ＡＤＣ２）２３１へ入力し、ＤＣオフセット補正回路（ＡＤＣ２）２３１の出力を振幅補正回路（ＡＬＣ２）２３２へ入力し、そして、振幅補正回路（ＡＬＣ２）２３２の出力を直交度誤差補正回路（ＡＱＣ２）２３３へ入力する。
【００３１】
ＤＣオフセット補正回路（ＡＤＣ２）２３１は、図３を参照して説明したＤＣオフセット補正回路（ＡＤＣ３）４０１と同一構成、もしくは同様の構成を有している。例えば、ＤＣオフセット補正回路（ＡＤＣ２）２３１とＤＣオフセット補正回路（ＡＤＣ３）４０１とでは、ステップサイズμ等の計算処理のパラメータを互いに異なる値とすることができる。
【００３２】
振幅補正回路（ＡＬＣ２）２３２は、デジタル信号の系統毎に、入力されたデジタル信号について振幅の２乗値とリファレンス信号発生器２６で発生したリファレンス信号の振幅の２乗値との差分である振幅差分を検出し、振幅差分を適応的に補正し、振幅アンバランスを低減する。
【００３３】
直交度誤差補正回路（ＡＱＣ２）２３３は、振幅補正回路（ＡＬＣ２）２３２からの２系統のデジタル信号の電力の和とリファレンス信号発生器２６で発生したリファレンス信号の電力との差分である電力差分を検出し、電力差分を適応的に補正することで、直交度誤差を低減する。
【００３４】
また、キャリア位相フィードバック器２５は、位相誤差検出回路（ＰＤ）２５１と、位相誤差平均化回路（ＬＰＦ）２５２と、位相制御回路（ＮＣＯ）２５３とを有する。この場合、位相誤差平均化回路（ＬＰＦ）２５２は、ローパスフィルタ（ＬＰＦ）で構成されている。位相誤差検出回路（ＰＤ）２５１は、等化器２４が出力する２系統のデジタル信号の位相誤差を検出する。位相誤差平均化回路（ＬＰＦ）２５２は、位相誤差検出回路（ＰＤ）２５１が出力した位相誤差を平均化する。そして、位相制御回路（ＮＣＯ）２５３は、位相誤差を補正する位相補正信号を生成してキャリア位相補正器２２へ出力する。
【００３５】
以上の構成において、フェージングによるノッチが変調波中心周波数付近に存在し、かつ、送信ＤＣオフセットがあるという場合、送信側誤差補正器２３の入力信号（すなわちキャリア位相補正器２２の出力信号）の周波数スペクトルは、変調波中心周波数付近にノッチが入り、かつ、送信ＤＣオフセットを含んでいる。これに対し、送信側誤差補正器２３の出力信号の周波数スペクトルは、ＤＣオフセット補正回路（ＡＤＣ２）２３１による送信ＤＣオフセット補正によって低減された送信ＤＣオフセットを含む。次に、等化器２４による等化処理ではノッチが入ったＤＣ付近のレベルが持ち上がる。そのため、等化器２４の出力信号の周波数スペクトルに含まれる送信ＤＣオフセットは増加する。この残留送信ＤＣオフセットは、受信性能を悪化させる原因となる。しかし、本実施形態では、ＤＣオフセット補正回路（ＡＤＣ３）４０１による送信ＤＣオフセット補正によって、周波数スペクトルに含まれる送信ＤＣオフセットは低減される。したがって、本実施形態によれば、受信性能を向上させることができる。
【００３６】
なお、図２に示した構成において、振幅補正回路（ＡＬＣ２）２３２または直交度誤差補正回路（ＡＱＣ２）２３３のいずれか一方または両方を削除することができる。
【００３７】
次に、図４〜図８を参照して、本発明の第２〜第６の実施形態について説明する。図４〜図８は、それぞれ図２に示した第１の実施形態のデジタル復調部２０に対応する構成を示している。図４は、本発明の第２の実施形態を説明するためのブロック図である。図５は、本発明の第３の実施形態を説明するためのブロック図である。図６は、本発明の第４の実施形態を説明するためのブロック図である。図７は、本発明の第５の実施形態を説明するためのブロック図である。そして、図８は、本発明の第６の実施形態を説明するためのブロック図である。なお、各図において、図２または他の図に示したものと同一または対応する構成には同一の符号を用いている。また、以下では、他の実施形態と相違する部分について説明する。
【００３８】
図４に示した第２の実施形態のデジタル復調部２０ｂは、図２に示した第１の実施形態のデジタル復調部２０と比較して次の点が異なる。すなわち、図２に示した第１の実施形態のデジタル復調部２０では等化器２４の出力信号がキャリア位相フィードバック器２５へ入力されていた。これに対し、図４に示した第２の実施形態のデジタル復調部２０ｂではＤＣオフセット補正回路（ＡＤＣ３）４０１の出力信号がキャリア位相フィードバック器２５へ入力されている。したがって、第２の実施形態のデジタル復調部２０ｂによれば、キャリア位相フィードバック器２５において、送信ＤＣオフセットがより低減されたデジタル信号に基づいてキャリア位相補正器２２へ出力される位相補正信号が生成される。
【００３９】
なお、図４に示した構成において、振幅補正回路（ＡＬＣ２）２３２または直交度誤差補正回路（ＡＱＣ２）２３３のいずれか一方または両方を削除することができる。
【００４０】
図５に示した第３の実施形態のデジタル復調部２０ｃは、図２に示した第１の実施形態のデジタル復調部２０と比較して次の点が異なる。すなわち、図５に示した第３の実施形態のデジタル復調部２０ｃは、ＤＣオフセット補正回路（ＡＤＣ３）４０１の出力に、振幅補正回路（ＡＬＣ３）４０２と直交度誤差補正回路（ＡＱＣ３）４０３とをこの順で接続したものを追加して備えている。振幅補正回路（ＡＬＣ３）４０２と直交度誤差補正回路（ＡＱＣ３）４０３とは、振幅補正回路（ＡＬＣ２）２３２と直交度誤差補正回路（ＡＱＣ２）２３３とそれぞれ同一構成とすることができる。第３の実施形態のデジタル復調部２０ｃによれば、等化器２４の出力信号に対して、ＤＣオフセット補正回路（ＡＤＣ３）４０１によるＤＣオフセット補正と、振幅補正回路（ＡＬＣ３）４０２による振幅アンバランス補正と、直交度誤差補正回路（ＡＱＣ３）４０３による直交度誤差補正とを実施することができる。
【００４１】
なお、図５に示した構成において、振幅補正回路（ＡＬＣ２）２３２または直交度誤差補正回路（ＡＱＣ２）２３３のいずれか一方または両方を削除したり、振幅補正回路（ＡＬＣ３）４０２または直交度誤差補正回路（ＡＱＣ３）４０３のいずれか一方または両方を削除したりすることができる。また、図５に示した構成において、キャリア位相フィードバック器２５へ入力する信号は、ＤＣオフセット補正回路（ＡＤＣ３）４０１、振幅補正回路（ＡＬＣ３）４０２、または、直交度誤差補正回路（ＡＱＣ３）４０３の各出力信号のいずれかとすることができる。
【００４２】
図６に示した第４の実施形態のデジタル復調部２０ｄは、図５に示した第３の実施形態のデジタル復調部２０ｃと比較して次の点が異なる。すなわち、図５に示した第３の実施形態のデジタル復調部２０ｃでは等化器２４の出力信号がキャリア位相フィードバック器２５へ入力されていた。これに対し、図６に示した第４の実施形態のデジタル復調部２０ｄでは直交度誤差補正回路（ＡＱＣ３）４０３の出力信号がキャリア位相フィードバック器２５へ入力されている。したがって、第４の実施形態のデジタル復調部２０ｄによれば、キャリア位相フィードバック器２５において、送信ＤＣオフセットと振幅アンバランスと直交度誤差とがより低減されたデジタル信号に基づいてキャリア位相補正器２２へ出力される位相補正信号が生成される。
【００４３】
なお、図６に示した構成において、振幅補正回路（ＡＬＣ２）２３２または直交度誤差補正回路（ＡＱＣ２）２３３のいずれか一方または両方を削除したり、振幅補正回路（ＡＬＣ３）４０２または直交度誤差補正回路（ＡＱＣ３）４０３のいずれか一方または両方を削除したりすることができる。また、図６に示した構成において、キャリア位相フィードバック器２５へ入力する信号は、等化器２４、ＤＣオフセット補正回路（ＡＤＣ３）４０１、または、振幅補正回路（ＡＬＣ３）４０２の各出力信号のいずれかとすることができる。
【００４４】
図７に示した第５の実施形態のデジタル復調部２０ｅは、図２に示した第１の実施形態のデジタル復調部２０と比較して次の点が異なる。すなわち、図７に示した第５の実施形態のデジタル復調部２０ｅは、ＤＣオフセット補正回路（ＡＤＣ３）４０１の出力に、等化器（２）４０４を追加して備えている。等化器（２）４０４は等化器２４と同一構成とすることができる。第５の実施形態のデジタル復調部２０ｅによれば、等化器２４の出力信号に対して、ＤＣオフセット補正回路（ＡＤＣ３）４０１によるＤＣオフセット補正と、等化器（２）４０４による信号歪補とを実施することができる。
【００４５】
なお、図７に示した構成において、振幅補正回路（ＡＬＣ２）２３２または直交度誤差補正回路（ＡＱＣ２）２３３のいずれか一方または両方を削除することができる。また、図７に示した構成において、キャリア位相フィードバック器２５へ入力する信号は、ＤＣオフセット補正回路（ＡＤＣ３）４０１、または、等化器（２）４０４の各出力信号のいずれかとすることができる。
【００４６】
図８に示した第６の実施形態のデジタル復調部２０ｆは、図６に示した第４の実施形態のデジタル復調部２０ｄと比較して次の点が異なる。すなわち、図８に示した第６の実施形態のデジタル復調部２０ｆは、直交度誤差補正回路（ＡＱＣ３）４０３の出力に、等化器（２）４０４を追加して備えている。また、図８に示した第６の実施形態のデジタル復調部２０ｆでは、等化器（２）４０４の出力信号がキャリア位相フィードバック器２５へ入力されている。第６の実施形態のデジタル復調部２０ｆによれば、等化器２４の出力信号に対して、ＤＣオフセット補正回路（ＡＤＣ３）４０１によるＤＣオフセット補正と、振幅補正回路（ＡＬＣ３）４０２による振幅アンバランス補正と、直交度誤差補正回路（ＡＱＣ３）４０３による直交度誤差補正と、等化器（２）４０４による信号歪補とを実施することができる。
【００４７】
なお、図８に示した構成において、振幅補正回路（ＡＬＣ２）２３２または直交度誤差補正回路（ＡＱＣ２）２３３のいずれか一方または両方を削除したり、振幅補正回路（ＡＬＣ３）４０２または直交度誤差補正回路（ＡＱＣ３）４０３のいずれか一方または両方を削除したりすることができる。また、図８に示した構成において、キャリア位相フィードバック器２５へ入力する信号は、等化器２４、ＤＣオフセット補正回路（ＡＤＣ３）４０１、振幅補正回路（ＡＬＣ３）４０２、または、直交度誤差補正回路（ＡＱＣ３）４０３の各出力信号のいずれかとすることができる。
【００４８】
以上のように、本発明の各実施形態によれば、等化器２４の出力に対して設けたＤＣオフセット補正回路（ＡＤＣ３）４０１による送信ＤＣオフセット補正によって、フェージングによるノッチが変調波中心周波数付近に存在し、かつ、送信ＤＣオフセットがある場合でも、送信ＤＣオフセットを十分低減することができる。したがって、本発明の各実施形態によれば、無線受信機における受信性能を向上させることができる。
【００４９】
なお、本発明の実施の形態は上記のものに限定されない。例えば、上記の説明では、変調方式を、直交変調方式としていたが、変調方式は、ＢＰＳＫ（Binary Phase Shift Keying）等の直交変調方式ではない変調方式に対しても適用することができる。この場合、例えば、図１に示した直交検波部１０の検波方式をＢＰＳＫ等の直交変調方式に対応したものに代えるとともに、直交度誤差補正回路等の構成を省略すればよい。
【符号の説明】
【００５０】
５００  無線受信機
１０  直交検波部
２０、２０ａ〜２０ｆ  デジタル復調部
２１  受信側誤差補正器
２２  キャリア位相補正器
２３  送信側誤差補正器
２３１  ＤＣオフセット補正回路（ＡＤＣ２）
２３２  振幅補正回路（ＡＬＣ２）
２３３  直交度誤差補正回路（ＡＱＣ２）
２４  等化器
２５  キャリア位相フィードバック器
２５１  位相誤差検出回路（ＰＤ）
２５２  位相誤差平均化回路（ＬＰＦ）
２５３  位相制御回路（ＮＣＯ）
２６  リファレンス信号発生器
４０１  ＤＣオフセット補正回路（ＡＤＣ３）
４０２  振幅補正回路（ＡＬＣ３）
４０３  直交度誤差補正回路（ＡＱＣ３）
４０４  等化器（２）
【図１】
2017152799.tif 000003
【図２】
2017152799.tif 000004
【図３】
2017152799.tif 000005
【図４】
2017152799.tif 000006
【図５】
2017152799.tif 000007
【図６】
2017152799.tif 000008
【図７】
2017152799.tif 000009
【図８】
2017152799.tif 000010
【図９】
2017152799.tif 000011